【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
データ・セットを受信するステップと、
前記データ・セットのサブセットを抽出するステップと、
第１の符号化処理を使用して前記データ・セットの前記サブセットを符号化するステップと、
前記データ・セットの前記符号化されたサブセットを前記データ・セットの残りの部分と組み合わせるステップと、
第２の符号化処理を使用して前記付加されたサブセットを含む組み合わされたデータ・セットを符号化するステップと、
を含む方法。
【請求項２】
前記第１の符号化処理がバイトコード符号化処理である、請求項１に記載の方法。
【請求項３】
前記バイトコード符号化処理が、ガロア体生成行列を使用して前記データ・セットの前記サブセットにおける前記データを補足する、請求項２に記載の方法。
【請求項４】
前記組み合わせるステップが、前記データ・セットの前記符号化されたサブセットを、前記データ・セットの残りの部分に付加するステップを含む、請求項１に記載の方法。
【請求項５】
前記第２の符号化処理がリード・ソロモン符号化処理である、請求項１に記載の方法。
【請求項６】
前記第１の符号化処理を使用して符号化するステップが、第１の符号化レートで符号化するステップを含む、請求項１に記載の方法。
【請求項７】
前記データ・セットの第２のサブセットを抽出するステップと、
前記第１の符号化処理を使用して前記データ・セットの前記第２のサブセットを符号化するステップと、
をさらに含み、
前記第１の符号化処理を使用して前記第２のサブセットを符号化するステップが、第２の符号化レートで符号化するステップと、
前記データ・セットの第２の符号化されたサブセットを前記組み合わされたデータ・セットに組み合わせるステップと、
を含む、請求項６に記載の方法。
【請求項８】
前記第１の符号化処理は、ガロア体上ＧＦ上の直列連結型ブロック符号化である、請求項１に記載の方法。
【請求項９】
前記受信されたデータ・セットが、各々が１８７バイトのデータを含むパケットに配列される、請求項１に記載の方法。
【請求項１０】
前記組み合わされたデータを送信するステップをさらに含む、請求項１に記載の方法。
【請求項１１】
前記組み合わせるステップが、前記データ・セットの前記サブセットの少なくとも一部を前記データ・セットの残りの部分内に挿入するステップを含む、請求項１に記載の方法。
【請求項１２】
テレビジョン放送システムに使用される、請求項１に記載の方法。
【請求項１３】
第１の符号化処理を使用した第１のデータ・セットを符号化するステップと、
前記符号化された第１のデータ・セットを第２のデータ・セットに組み合わせて組み合わせられたデータ・セットを生成するステップと、
前記第２の符号化処理を使用して前記組み合わせられたデータ・セットを符号化するステップと、
を含む方法。
【請求項１４】
前記第１の符号化処理がバイトコード符号化処理である、請求項１３に記載の方法。
【請求項１５】
前記バイトコード符号化処理が、ガロア体生成行列を使用して前記第１のデータ・セットにおける前記データを補足する、請求項１４に記載の方法。
【請求項１６】
前記第２の符号化処理がリード・ソロモン符号化処理である、請求項１３に記載の方法。
【請求項１７】
前記第１の符号化処理を使用して符号化するステップが、第１の符号化レートで符号化するステップを含む、請求項１３に記載の方法。
【請求項１８】
前記第１の符号化処理を使用して、第２の符号化レートで第３のデータ・セットを符号化するステップと、
前記第３の符号化されたデータ・セットを前記組み合わされたデータ・セットと組み合わせるステップと、をさらに含む、請求項１７に記載の方法。
【請求項１９】
前記組み合わせられたデータ・セットを生成するステップが、前記符号化された第１のデータ・セットを、前記第２のデータ・セットに付加するステップを含む、請求項１３に記載の方法。
【請求項２０】
前記第１の符号化処理がガロア体上ＧＦ上の直列連結型ブロック符号化である、請求項１３に記載の方法。
【請求項２１】
前記データ・セットが、各々が１８７バイトのデータを含むパケットに配列される、請求項１３に記載の方法。
【請求項２２】
テレビジョン放送システムにおいて使用される、請求項１３に記載の方法。
【請求項２３】
データ・セットのサブセットを抽出する手段と、
第１の符号化処理を使用して前記データ・セットの前記サブセットを符号化する手段と、
前記データ・セットの前記符号化されたサブセットを前記データ・セットの残りの部分と組み合わせる手段と、
第２の符号化処理を使用して前記付加されたサブセットを含む組み合わされたデータ・セットを符号化する手段と、
を含む装置。
【請求項２４】
前記データ・セットの前記サブセットを符号化する手段が、第１の符号化レートと第２の符号化レートで前記データ・セットの前記サブセットを符号化する手段を含む、請求項２３に記載の装置。
【請求項２５】
第１の符号化処理を用いて第１のデータ・セットを符号化する手段と、
前記符号化された第１のデータ・セットを第２のデータ・セットに組み合わせて組み合わせられたデータ・セットを生成する手段と、
第２の符号化処理を用いて前記組み合わせられたデータ・セットを符号化する手段と、
を含む装置。
【請求項２６】
前記データ・セットの前記サブセットを符号化する手段は、前記第１の符号化レートと前記第２の符号化レートで前記データ・セットの前記サブセットを符号化する手段を含む、請求項２３に記載の装置。
【請求項２７】
データ・セットを受信し、前記データ・セットからのデータのサブセットを識別するデータ識別器と、
前記データ識別器に結合され、前記データのサブセットを受信し、第１の復号処理を使用して前記データのサブセットを復号する第１の復号器と、
前記第１の復号器に結合され、前記データのサブセットに前記データ・セットの残りの部分を組み合わせ、当該組み合わされたデータを第２の復号処理を使用して復号する第２の復号器と、
を含む装置。
【請求項２８】
前記受信されたデータ・セットが、各々が２０７バイトのデータを含むパケットに配列される、請求項２７に記載の装置。
【請求項２９】
前記データ・セットにおける前記データのサブセットがモバイル用放送データである、請求項２７に記載の装置。
【請求項３０】
前記データ・セットの前記残りの部分のデータがテレビジョンのためのレガシーな放送データである、請求項２７に記載の装置。
【請求項３１】
前記第１の復号処理がバイトコード復号処理である、請求項２７に記載の装置。
【請求項３２】
前記第１の復号処理がガロア体上ＧＦ上の直列連結型ブロックコード復号処理である、請求項２７に記載の装置。
【請求項３３】
前記第２の復号処理がリード・ソロモン復号処理である、請求項２７に記載の装置。
【請求項３４】
データ・セットを受信するステップと、
前記データ・セット内のデータのサブセットを識別するステップと、
第１の復号処理を使用して前記データのサブセットを復号するステップと、
前記復号されたサブセットを前記データ・セットの残りの部分と組み合わせるステップと、
第２の復号処理を使用して前記組み合わせられたデータを復号するステップと、
を含む方法。
【請求項３５】
前記組み合わされ、復号されたデータを処理してモバイル用受信機のためのデータストリームを生成するステップをさらに含む、請求項３４に記載の方法。
【請求項３６】
前記受信されたデータ・セットが、各々が２０７バイトのデータを含むパケットに配列される、請求項３４に記載の方法。
【請求項３７】
前記データ・セットの前記残りの部分のデータがテレビジョンのためのレガシーな放送データである、請求項３４に記載の方法。
【請求項３８】
前記第１の復号処理がバイトコード復号処理である、請求項３４に記載の方法。
【請求項３９】
前記第１の符号化処理がガロア体上ＧＦ上の直列連結型ブロックコード復号処理である、請求項３４に記載の方法。
【請求項４０】
前記第２の復号処理がリード・ソロモン復号処理である、請求項３４に記載の方法。